(57)【要約】【課題】  回路基板に無理な力が加わることのない基板用コネクタの組付構造の提供を目的とする。【解決手段】  ケース２内に収納される回路基板３に導通接続されると共に、ケース２に固定される基板用コネクタ１の組付構造であって、基板用コネクタ１が相手コネクタと嵌合するコネクタハウジング４と、このコネクタハウジング４に収容されると共に、相手コネクタ内の相手端子と接続される第１の接触部５及び回路基板３に導通接続される第２の接触部６を有する端子７とを備え、コネクタハウジング４は、回路基板３とケース２との間で、回路基板３よりケース２側に配置され、ケース２のねじ止め固定部８に固定されることを特徴としている。【選択図】      図１
2005197012.tif 000002
【特許請求の範囲】
【請求項１】
ケース内に収納される回路基板に導通接続されると共に、前記ケースに固定される基板用コネクタの組付構造であって、
前記基板用コネクタが相手コネクタと嵌合するコネクタハウジングと、このコネクタハウジングに収容されると共に、相手コネクタ内の相手端子と接続される第１の接触部及び前記回路基板に導通接続される第２の接触部を有する端子とを備え、前記コネクタハウジングは、前記回路基板とケースとの間で、回路基板よりケース側に配置され、前記ケースのねじ止め固定部に固定されることを特徴とする基板用コネクタの組付構造。
【請求項２】
請求項１記載の基板用コネクタの組付構造であって、前記コネクタハウジングには、前記ねじ止め固定部にねじ止めされるフランジ部が設けられ、該フランジ部と前記ねじ止め固定部にはねじ止め固定時の前記フランジ部の回転を規制する回り止め規制部が設けられていることを特徴とする基板用コネクタの組付構造。
【請求項３】
請求項２記載の基板用コネクタの組付構造であって、前記回り止め規制部は、前記ねじ止め固定部に設けた回り止め凸部と、前記フランジ部に設けられて前記回り止め凸部と嵌合してフランジ部の回転を規制する切欠部とからなることを特徴とする基板用コネクタの組付構造。
【発明の詳細な説明】
【技術分野】
【０００１】
本発明は、基板に導通接続される基板用コネクタの組付構造に関する。
【背景技術】
【０００２】
この種の従来の基板用コネクタは、回路基板上に直接コネクタハウジングをねじ止め固定し、端子の一端を回路基板にハンダ付けすることで、回路基板と導通させ、コネクタハウジングが実装された回路基板を機器ケース等に組み付けていた。
【０００３】
また、各種電子機器は、これを保護するためにコネクタハウジングが実装される側の回路基板の裏面側に装着されている。このため、回路基板が機器ケースに組み付けられると、機器ケースよりコネクタハウジング長だけ外部に突出するため、大型化していた。
【０００４】
これを解決するために、特許文献１では、相手側コネクタが挿通される開口を有した回路基板と機器ケースとの間にコネクタを挟持するように組み付けた構成が開示されている。これにより、電子機器が装着される側の電子機器が装着されることのない、いわゆるデッドスペースにコネクタハウジングを収容することにより大型化が防止され、小型化が可能になった。
【特許文献１】特開２００１−３０７８０２号
【発明の開示】
【発明が解決しようとする課題】
【０００５】
しかしながら、回路基板へのねじ止め固定時や、相手側コネクタとの嵌合時にコネクタハウジングが機器ケースの底辺に沿って揺動するため、回路端子を基板に接続しているハンダ付け部分にストレスが加わり、導通状態を確保できなくなる恐れがある。
【０００６】
そこで、本発明は、基板用コネクタの組み付けの際に、回路基板に無理な力が加わることのない基板用コネクタの組付構造の提供を目的とする。
【課題を解決するための手段】
【０００７】
上記目的を達成するため、請求項１の発明は、ケース内に収納される回路基板に導通接続されると共に、前記ケースに固定される基板用コネクタの組付構造であって、前記基板用コネクタが相手コネクタと嵌合するコネクタハウジングと、このコネクタハウジングに収容されると共に、相手コネクタ内の相手端子と接続される第１の接触部及び前記基板に導通接続される第２の接触部を有する端子とを備え、前記コネクタハウジングは、、前記基板とケースとの間で、基板よりケース側に配置され、前記ケースのねじ止め固定部に固定されることを特徴とする。
【０００８】
この基板用コネクタの組付構造では、ケースのねじ止め固定部にコネクタハウジングがねじ止め固定されるので、相手側コネクタとの嵌合時にコネクタハウジングが受ける力をケースのねじ止め固定部が受けることになり、回路基板にはんだ付け固定されている第２の接触部に一切ストレスが掛かることがなく、確実な導通を確保することができる。また、コネクタハウジングが基板とケースとの間で、基板よりケース側に配置されているので、基板よりコネクタハウジングが突出することがなく、その分小型化を図ることができる。
【０００９】
請求項２の発明は、請求項１記載の基板用コネクタの組付構造であって、前記コネクタハウジングには、前記ねじ止め固定部にねじ止めされるフランジ部が設けられ、該フランジ部と前記ねじ止め固定部にはねじ止め固定時の前記フランジ部の回転を規制する回り止め規制部が設けられていることを特徴とする。
【００１０】
この基板用コネクタの組付構造では、コネクタハウジングをケースに固定する際に、フランジ部は、回り止め規制部によってねじ止め時にケースに対して回転することがなく、第２の接触部を基板にハンダ付けした後にねじ止めしても、ハンダ付け部分に無理な力が加わることがない。
【００１１】
請求項３の発明は、請求項２記載の基板用コネクタの組付構造であって、前記回り止め規制部は、前記ねじ止め固定部に設けた回り止め凸部と、前記フランジ部に設けられて前記凸部と嵌合してフランジ部の回転を規制する切欠部とからなることを特徴とする。
【００１２】
この基板用コネクタの組付構造では、ねじ止め固定部の回り止め凸部に、コネクタハウジングのフランジ部の切欠部を嵌合し、ねじ止めすることによりコネクタハウジングがケースに固定される。
【発明の効果】
【００１３】
以上説明したように、請求項１の発明によれば、相手側コネクタとの嵌合時にコネクタハウジングが受ける力をケースのねじ止め固定部が受けることになり、回路基板にはんだ付け固定されている第２の接触部に一切ストレスが掛かることがなく、確実な導通を確保することができる。また、コネクタハウジングが基板とケースとの間で、基板よりケース側に配置されているので、基板よりコネクタハウジングが突出することがなく、その分小型化を図ることができる。
【００１４】
請求項２の発明によれば、コネクタハウジングをケースに固定する際に、フランジ部は、回り止め規制部によってねじ止め時にケースに対して回転することがなく、第２の接触部を基板にハンダ付けした後にねじ止めしても、ハンダ付け部分に無理な力が加わることがない。
【００１５】
請求項３の発明によれば、ねじ止め固定部の回り止め凸部に、コネクタハウジングのフランジ部の切欠部を嵌合し、ねじ止めすることによりコネクタハウジングがケースに固定されるので、コネクタハウジングをケースに固定する際にコネクタハウジングが回転することがない。
【発明を実施するための最良の形態】
【００１６】
以下、本発明を実施するための最良の形態に係る基板用コネクタの組付構造について説明する。
【００１７】
本実施の形態に係る基板用コネクタは、基板用コネクタは、ケース内に収納される回路基板に導通接続されると共に、ケースに固定される。
【００１８】
本実施形態に係る組付構造では、基板用コネクタが相手コネクタと嵌合するコネクタハウジングと、このコネクタハウジングに収容されると共に、相手コネクタ内の相手端子と接続される第１の接触部及び回路基板に導通接続される第２の接触部を有する端子とを備え、コネクタハウジングは、回路基板とケースとの間で、回路基板よりケース側に配置され、ケースのねじ止め固定部に固定される。
【実施例】
【００１９】
以下に図面に基づいて実施例について説明する。図１は、本発明が用いられたコンビネーションスイッチを示す平面図、図２は基板用コネクタを示す斜視図、図３はケースとこのケースに収納される回路基板を示す斜視図、図４はケースを示し、（ａ）は平面図、（ｂ）は（ａ）のｂ−ｂ線に沿って切断した断面図である。
【００２０】
本実施例の基板用コネクタの組付構造では、基板用コネクタ１は、ケース２内に収納される回路基板３に導通接続されると共に、ケース２に固定される。
【００２１】
また、本実施例の基板用コネクタの組付構造では、基板用コネクタ１が相手コネクタと嵌合するコネクタハウジング４と、このコネクタハウジング４に収容されると共に、相手コネクタ内の相手端子と接続される第１の接触部５及び回路基板３に導通接続される第２の接触部６を有する端子７とを備え、コネクタハウジング４は、回路基板３とケース２との間で、回路基板３よりケース２側に配置され、ケース２のねじ止め固定部８に固定される。
【００２２】
ケース２は、図３に示すように、ケース本体９と、このケース本体９の一面側に設けられて一面側を略覆うように回路基板３が収納される回路基板収納部１０と、回路基板収納部１０の一部に設けられた嵌合凹部１１とで形成されている。嵌合凹部１１には、コネクタハウジング４が嵌合されて固定され、基板用コネクタ１がケース２に固定される。この場合、コネクタハウジング４は、回路基板３とケース２との間で、回路基板３よりケース２側に配置され、ケース２のねじ止め固定部８に固定される。
【００２３】
回路基板３は、平板状で一面側に回路がプリント形成され、他面側にこの回路に接続される電子機器が実装されている。回路基板３の一部には、嵌合凹部１１に対応する位置にコネクタ逃げ部２３が設けられ、このコネクタ逃げ部２３に隣接して複数の小孔３ａが設けられている。これらの小孔３ａには、後述する端子７の第２の接触部６が挿入され半田付けされる。この回路基板３は、電子機器が実装される面をケース２側にした状態、すなわち回路が印刷されている側を外側にした状態でケース２の回路基板収納部１０に収納される。
【００２４】
基板用コネクタ１のコネクタハウジング４が固定される嵌合凹部１１には、この嵌合凹部１１を形成する外周壁部１２、１３が設けられ、これらの外周壁部１２、１３で囲まれる内側が載置面２２となっている。この載置面２２には、コネクタハウジング４が載置される。また、外周壁部１２、１３の外側にねじ止め固定部８、８が設けられている。ねじ止め固定部８、８は、外周壁部１２、１３の高さ方向に延びる円柱状にそれぞれ形成され、頂部の略中心部に開口するねじ孔１４、１４がそれぞれ形成されている。さらに、ねじ孔１４、１４の周囲であって、外周壁部１２、１３と反対側に、矩形状の回り止め凸部１５、１５が突設されている。このねじ止め固定部８、８にコネクタハウジング４がねじ止め固定される。
【００２５】
コネクタハウジング４は、図２（ａ）、（ｂ）に示すように、コネクタハウジング４に一体に収容された端子７の一側（第１の接触部５）が突設されるフード部１６と、このフード部１６の側部に一体成形されて回路基板３と導通接続される端子の他側（第２の接触部６）が突設されたコネクタ本体部１７と、フード部１６の両側部から突設されたフランジ部１８、１８とで形成されている。
【００２６】
端子７は、第１の接触部５と第２の接触部６との間がコネクタ本体部１７に埋設されている。また、フード部１６は、一側に相手コネクタが挿入される開口が形成され、他側は上記嵌合凹部１１の載置面２２に載置される受底面１６ａとなっている。
【００２７】
フランジ部１８、１８には、中心部にねじが挿通する挿通孔１９、１９が設けられ、裏面側には、ケース２のねじ止め固定部８、８に設けられた回り止め凸部１５、１５が嵌合する切欠部２０、２０が設けられている。そして、回り止め凸部１５と切欠部２０とで回り止め規制部２１が構成されている。
【００２８】
次に基板用コネクタ１をケース２に組み付ける手順について説明する。
【００２９】
基板用コネクタ１をケース２の嵌合凹部１１内に嵌合させ、受底面１６ａを載置面２２上に載置し、フランジ部１８、１８をねじ止め固定部８、８上に載置する。このとき、フランジ部１８、１８の切欠部２０、２０内に回り止め凸部１５、１５が嵌合する。続いて挿通孔１９、１９内にねじを挿入し、ねじ孔１４、１４に螺合させることで、基板用コネクタ１が嵌合凹部１１に固定され、ケース２に固定される。その後、回路基板３をケース２の回路基板収納部１０にはめ込み、端子７の第２の接触部６の先端を回路基板３の小孔３ａに挿入し、半田付けする。これにより、基板用コネクタ１が回路基板３に導通接続される。
【００３０】
本実施例によれば、ケース２のねじ止め固定部８にコネクタハウジング４がねじ止め固定されるので、相手側コネクタとの嵌合時にコネクタハウジング４が受ける力をケース２のねじ止め固定部が受けることになり、回路基板３に半田付け固定されている第２の接触部６に一切ストレスが掛かることがなく、確実な導通を確保することができる。
【００３１】
また、コネクタハウジング４が回路基板３とケース２との間で、回路基板３よりケース２側に配置されているので、回路基板３よりコネクタハウジング４が突出することがなく、その分小型化を図ることができる。すなわち、回路基板３が電子機器を実装した面をケース２側にしてケース２に収納された状態で、基板用コネクタ１が、電子機器の実装された面のデッドスペースに位置するように配置されているので、スペースを有効利用することができ、ケース２全体を小型化することができる。
【００３２】
また、コネクタハウジング４をケース２に固定する際に、フランジ部１８は、回り止め規制部２１によってねじ止め時にケース２に対して回転することがなく、第２の接触部６を回路基板３に半田付けした後にねじ止めしても、半田付け部分に無理な力が加わることがない。
【００３３】
さらに、ねじ止め固定部８の回り止め凸部１５に、コネクタハウジング４のフランジ部１８の切欠部２０を嵌合し、ねじ止めすることによりコネクタハウジング４がケース２に固定されるので、コネクタハウジング４をケース２に固定する際にコネクタハウジング４が回転することがない。
【００３４】
また、上記したように、基板用コネクタ１をケース２にねじ止め固定する際に、回り止め規制部２１によって基板用コネクタ１の回転が規制されるので、コネクタハウジング４と回路基板３との間に大きな隙間が開くことがなく、塵等の侵入を確実に防止することができる。
【００３５】
なお、上記実施形態では、回り止め規制部２１を構成する回り止め凸部１５をケース２側に、切欠部２０を基板用コネクタ１に形成したが、回り止め凸部１５を基板用コネクタ１に、切欠部２０をケース２側に設けても良い。
【図面の簡単な説明】
【００３６】
【図１】本発明が用いられたコンビネーションスイッチを示す平面図である。
【図２】基板用コネクタを示し、（ａ）は斜視図、（ｂ）は（ａ）の裏面側から見た斜視図である。
【図３】基板用コネクタが組み付けられるケースと、このケースに収納される回路基板を示す斜視図である。
【図４】基板用コネクタを示し、（ａ）は平面図、（ｂ）は（ａ）のｂ−ｂ線に沿って切断した断面図である。
【符号の説明】
【００３７】
１  基板用コネクタ
２  ケース
３  回路基板
４  コネクタハウジング
５  第１の接触部
６  第２の接触部
７  端子
８  ねじ止め固定部
【図１】
2005197012.tif 000003
【図２】
2005197012.tif 000004
【図３】
2005197012.tif 000005
【図４】
2005197012.tif 000006